(57)【要約】【課題】光源点灯時の表面温度が低くなり、光源が外被に触れても外被が溶けて破れることがなくなり、また、光源が点灯するまでに要する時間、及び消灯後の光源の表面温度が下がるまでに要する時間を短くする。【解決手段】バルーン型照明器具１は、透過性及び可撓性を有する材料から成る膨張収縮自在な外被３と、外被３を膨張させるエアーファン７と、外被３に収容される無電極放電灯２と、を備える。無電極放電灯２の点灯時温度が、従来の高輝度放電灯よりも低くなり、外被３が無電極放電灯２の表面に触れても溶けて破れることがなくなるので、外被３が無電極放電灯２と接触しないようにするためのガードやネット等の保護用の部材が不要となる。また、無電極放電灯２が点灯するまでに要する時間、及び消灯後の無電極放電灯２の表面温度が下がるまでに要する時間が短くなり、作業現場において十分な照明を確保でき、作業などの停滞を生じることがない。【選択図】図１
2010050006.tif 000002
【特許請求の範囲】
【請求項１】
透過性及び可撓性を有する材料から成る膨張収縮自在な外被と、前記外被を膨張させる膨張手段と、前記外被に収容される光源と、を備えたバルーン型照明器具において、
前記光源は、無電極放電灯であることを特徴とするバルーン型照明器具。
【発明の詳細な説明】
【技術分野】
【０００１】
本発明は、作業現場やイベント会場などの照明に使用されるバルーン型照明器具に関する。
【背景技術】
【０００２】
従来から、作業現場などの夜間照明として使用され、作業者、自動車を運転する人などにまぶしさを感じさせない柔らかい光を広い範囲で照射することができるバルーン型照明器具が知られている（例えば、特許文献１参照）。図６及び図７は、このようなバルーン型照明器具の概略構成を示す。バルーン型照明器具２１（以下、照明器具という）は、高輝度放電灯２２と、その周囲に設けられるガード２３と、高輝度放電灯２２を収容し膨張収縮自在な外被（バルーン）２４と、これらを保持する保持部２５と、保持部２５を支持する支柱２６と、を備える。保持部２５は、外被２４を膨張させる膨張手段であるエアーファン２７を有する。
【０００３】
この種の照明器具２１は、電源を入れた後も高輝度放電灯２２が完全に点灯するまで時間がかかるので、作業の停滞を招くことがある。また、照明点灯時に高輝度放電灯２２の表面が発熱して高温となっていて、照明消灯後、その表面温度が下がるまでに時間がかかるため、作業後の撤収作業に長時間を要する。
【０００４】
また、照明器具２１の使用後における外被２４の収納作業中に、エアーファン２７の電源を切って収縮した外被２４が高温の高輝度放電灯２２の表面に接触し、外被２４が熱で溶けて穴が開いてしまうという破損を防ぐためのガード２３が必要である。また、ガード２３に代えて、ネット状の部材が用いられることもある。
【０００５】
照明器具２１のガード２３、外被２４、及び保持部２５は、不使用時には分解されて、破損を防ぐために収納ケースに収納されて搬送及び保管される。図８及び図９は、このような収納ケースの概略構成を示す。収納ケース２８は、ケース本体２９と蓋３０を備え、折り畳まれた外被２４、ガード２３、保持部２５が収納される。収納ケース２８は、体積の大きいガード２３を収納しているために、大きなサイズとなり、その搬送及び保管が煩わしいものとなっていた。
【特許文献１】特開平１０−１８８６２２号公報
【発明の開示】
【発明が解決しようとする課題】
【０００６】
本発明は、上記問題を解決するためになされたものであり、光源点灯時の表面温度が低くなり、光源が外被に触れても外被が溶けて破れることがなくなり、また、光源が点灯するまでに要する時間、及び消灯後の光源の表面温度が下がるまでに要する時間を短くすることができるバルーン型照明器具を提供することを目的とする。
【課題を解決するための手段】
【０００７】
上記目的を達成するために請求項１の発明は、透過性及び可撓性を有する材料から成る膨張収縮自在な外被と、前記外被を膨張させる膨張手段と、前記外被に収容される光源と、を備えたバルーン型照明器具において、前記光源は、無電極放電灯であるものである。
【発明の効果】
【０００８】
請求項１の発明によれば、１）光源の点灯時温度が従来の高輝度放電灯よりも低くなり、外被が光源表面に触れても溶けて破れることがなくなるので、外被が光源と接触しないようにするためのガードやネット等の保護用の部材が不要となる。また、保護用の部材を削減できることにより、搬送や保管などのために外被や光源などが分解されてケースに収納されるとき、収納作業も簡素化でき、さらには、ケースがコンパクトになり、収納作業効率も上がる。２）光源が点灯するまでに要する時間、及び消灯後の光源の表面温度が下がるまでに要する時間が短くなるので、外被であるバルーンを短時間で収縮でき、撤収作業も短時間で済ませることが可能となり、従って、作業現場において十分な照明を確保できると共に、作業などの停滞を生じることがない。
【発明を実施するための最良の形態】
【０００９】
本発明の一実施形態に係るバルーン型照明器具（以下、照明器具という）について図１乃至図５を参照して説明する。図１及び図２は本実施形態の照明器具１の概略構成を示す。照明器具１は、無電極放電灯２と、無電極放電灯２を収容し膨張収縮自在な外被３と、無電極放電灯２や外被（バルーン）３を保持する保持部４と、保持部４を支持する支柱５と、を備える。保持部４は、無電極放電灯２を保持するソケット６と、外被３を膨張させる膨張手段であるエアーファン７と、外被３を保持するプレート部材８と、プレート部材８の下部に設けられる取付部９と、支柱５と取付部９を取り付けるためのネジ１０と、を有する。
【００１０】
無電極放電灯２は、バルブ内に封入された放電ガスを高周波電磁界により励起させて発光させる構造である。この構造により、無電極放電灯２の点灯時の表面温度が、従来の高輝度放電灯よりも低くなり、外被３を溶かす温度にまで上昇しないため、外被３が無電極放電灯２と接触しないようにするためのガードやネット等の保護用の部材が不要となる。また、保護用の部材を削減できることにより、搬送や保管などのために外被３や保持部４等が分解されてケースに収納されるときの収納作業が簡素化される。また、無電極放電灯２が点灯するまでに要する時間、及び消灯後の無電極放電灯２の表面温度が下がるまでに要する時間が短くなるため、外被３を短時間で収縮でき、撤収作業も短時間で済ませることが可能となり、従って、作業現場において十分な照明を確保できると共に、作業などの停滞を生じることがなくなる。
【００１１】
外被３は、例えば、プラスチック処理が施された白色の布、又は単純な白色のプラスチック製フィルム等の透過性及び可撓性を有する材料から成り、膨張状態において略球状となる。外被３が膨張された後に無電極放電灯２を点灯させたとき、無電極放電灯２から照射される光は、外被３を通過する過程で、柔らかい光である散乱光となって広い範囲に照射される。また、外被３は、プレート部材８に設置するための開口３１を有し、この開口３１を塞ぐようにしてプレート部材８に取り付けられる。具体的には、外被３とプレート部材８は、開口３１の縁及びプレート部材８の縁にそれぞれ咬合子を設け、スライダを摺動させてファスナ式に係合させることによって取り付けられる。また、外被３とプレート部材８は、開口３１の縁及びプレート部材８の縁にホック、フック、又はボタン等の雄型部材と雌型部材とをそれぞれ設け、これらを係合させることによって取り付けられてもよい。
【００１２】
支柱５は、光源である無電極放電灯２を保持する保持部４を支持すると共に、地面に自立しており、保持部４が取り付けられるための貫通孔５１を有する。保持部４の取付部９は、保持部４が支柱５に取り付けられたとき貫通孔５１に対向する位置に、ネジ孔９１を有している。ネジ１０が貫通孔５１を挿通し、ネジ孔９１と螺合することで、保持部４は支柱５に取り付けられる。
【００１３】
ソケット６は、エアーファン７の上面に設けられ、無電極放電灯２の口金部２０が単純に差し込まれて、無電極放電灯２を保持する構造である。そのため、物がぶつかったり、又は強風に煽られたりする等して照明器具１が転倒したとき、無電極放電灯２は、ソケット６から容易に外れて電力の供給が切れるので、漏電による火災の発生を防ぐことができる。
【００１４】
エアーファン７は、プレート部材８の上面に設けられ、外被３内へ空気を送風することで、外被３を膨張させると共に、無電極放電灯２を冷却する。具体的には、空気は、エアーファン７の下面とプレート部材８を貫通する小孔から、エアーファン７の内部に送り込まれ、エアーファン７の内部を通過した後、エアーファン７の上面に設けられる通風孔から外被３の内部に送り込まれる。無電極放電灯２、及びエアーファン７への電力供給は、電源制御部（不図示）によって行われる。電源制御部は、内燃機関による発電機、又はバッテリから電力の供給を受けてもよいし、電力会社から電力の供給を受けてもよい。
【００１５】
上記のように構成された照明器具１の外被３、及び保持部４の収納について説明する。図３及び図４は、外被３、及び保持部４を収納して搬送や保管をするための収納ケース１１の概略構成を示す。収納ケース１１は、円筒状のケース本体１２と、ケース本体１２の端部と嵌合する形状である蓋１３とを備え、折り畳まれた状態の外被３、及び支柱５から取り外された保持部４が収納され、これら収納物がちょうど納まる程度の大きさである。なお、無電極放電灯２は、他の部品と接触して破損することを防ぐため、収納ケース１１とは別のケースに保管される。
【００１６】
収納ケース１１は、照明器具１が外被３を保護するためのガードを備えていないので、従来、ガードを収納していたスペースが省略されることによって、サイズがコンパクトになるため、搬送及び保管場所の確保が容易となる。
【００１７】
次に、外被３の折り畳み方について説明する。図５（ａ）（ｂ）（ｃ）は、外被３が広げられている状態から、外被３が折り畳まれている状態に至るまでの手順を時系列に示す。図５（ａ）に示されるように、外被３は、開口３１から空気が抜かれてシート状となった後、Ａ方向、及びＢ方向に折り畳まれる。次に、図５（ｂ）に示されるように、外被３は、Ｃ方向、及びＤ方向に折り畳まれる。図５（ｃ）に示されるように、折り畳まれた外被３は、収納ケース１１に収納可能な大きさとなる。なお、外被３の折り畳み方は、外被３が収納ケース１１に収納可能な大きさとなればよく、上記の方法に特に限定されるものではない。
【００１８】
なお、本発明は、上記の実施形態の構成に限られず、発明の要旨を変更しない範囲で種々の変形が可能である。例えば、外被の内部に複数の無電極放電灯が設けられる構造のものであっても構わない。
【図面の簡単な説明】
【００１９】
【図１】本発明の一実施形態に係るバルーン型照明器具の外観図。
【図２】同器具の分解図。
【図３】同器具の一部を収納する収納ケースの外観図。
【図４】同器具の一部を収納ケースに収納した状態の断面図。
【図５】（ａ）は同器具の外被を内部の空気を抜いて広げた状態の外観図、（ｂ）は同外被を２箇所折り畳んだ状態の外観図、（ｃ）は同外被をさらに２箇所折り畳んだ状態の外観図。
【図６】従来のバルーン型照明器具の外観図。
【図７】同器具の分解図。
【図８】同器具の一部を収納するための収納ケースの外観図。
【図９】同器具の一部を収納ケースに収納した状態の断面図。
【符号の説明】
【００２０】
１  照明器具（バルーン型照明器具）
２  無電極放電灯
３  外被
７  エアーファン（膨張手段）
【図１】
2010050006.tif 000003
【図２】
2010050006.tif 000004
【図３】
2010050006.tif 000005
【図４】
2010050006.tif 000006
【図５】
2010050006.tif 000007
【図６】
2010050006.tif 000008
【図７】
2010050006.tif 000009
【図８】
2010050006.tif 000010
【図９】
2010050006.tif 000011